(57)【要約】【課題】図書舘で蔵書を複写するときに、複写される蔵書のみならず、蔵書を複写するユーザごとに、蔵書の複写制限を変更することができるシステムを提供する。【解決手段】本発明に係わるシステムは、複写機１で連続して蔵書４を複写できる枚数を示すユーザ属性情報を記憶したＩＣカード２と、蔵書４の複写許可を示す蔵書属性情報を記憶し、蔵書４に貼着されたＲＦＩＤ３と、複写機１とから、少なくとも構成され、複写機１は、ＩＣカード２に記憶されたユーザ属性情報を読み出すＩＣカードリーダ１２と、ＲＦＩＤ３から蔵書属性情報を読み出すＲＦＩＤリーダ１３と、蔵書４を複写する複写部と、蔵書属性情報で複写が許可されている場合、複写部を監視し、ユーザ属性情報で指定される枚数まで複写を許可する複写管理部とを備えている。【選択図】図１
2008245200.tif 000002
【特許請求の範囲】
【請求項１】
図書館に設置された複写機が、図書館の蔵書の複写を管理する方法であって、前記複写機を利用するユーザは、前記複写機で連続して前記蔵書を複写できる枚数を示すユーザ属性情報を記憶させた識別媒体を所持させ、更に、前記蔵書には、前記蔵書の複写許可を示す蔵書属性情報を記憶させたＲＦＩＤを貼着し、前記複写機は、ユーザが所持する識別媒体から前記ユーザ属性情報を読み出すと共に、前記蔵書に貼られたＲＦＩＤから前記蔵書属性情報を読出し、前記複写機は、前記蔵書属性情報で複写が許可されている場合、前記ユーザ属性情報で指定される枚数まで、前記蔵書の複写を許可することを特徴とする方法。
【請求項２】
図書館の蔵書の複写を管理するシステムであって、図書館に設置される複写機と、前記複写機で連続して前記蔵書を複写できる枚数を示すユーザ属性情報を記憶した識別媒体と、前記蔵書の複写許可を示す蔵書属性情報を記憶し、前記蔵書に貼着されたＲＦＩＤとから、少なくとも構成され、前記複写機は、前記識別媒体に記憶された前記ユーザ属性情報を読み出す第１のリーダと、前記ＲＦＩＤから前記属性属性情報を読み出す第２のリーダと、前記蔵書を複写する複写部と、前記蔵書属性情報で複写が許可されている場合、前記複写部を監視し、前記ユーザ属性情報で指定される枚数まで複写を許可する複写管理部とを備えていることを特徴とするシステム。
【請求項３】
図書館に設置される複写機であって、前記複写機で連続して前記蔵書を複写できる枚数を示すユーザ属性情報を記憶した識別媒体から、前記ユーザ属性情報を読み出す第１のリーダと、前記蔵書の複写許可を示す蔵書属性情報を記憶し、前記蔵書に張られるＲＦＩＤから、前記蔵書識別情報を読み出す第２のリーダと、前記蔵書を複写する複写部と、前記蔵書属性情報で複写が許可されている場合、前記複写部を監視し、前記ユーザ属性情報で指定される枚数まで、前記蔵書の複写を許可する複写管理部とを備えていることを特徴とする複写機。
【発明の詳細な説明】
【技術分野】
【０００１】
本発明は、図書館の蔵書の複写を管理するための技術に関する。
【背景技術】
【０００２】
従来、図書館の蔵書を複写する形態として２つの形態が取られている。一つ目の形態は、図書館にコイン式複写機を設置し、蔵書の複写行為をユーザの自由に任せる形態である。二つ目の形態は、図書館のスタッフに蔵書の複写を依頼し、図書館のスタッフが蔵書を複写する形態である。特に貴重な蔵書などは、そもそも複写を許さないケースもある。
【０００３】
上述した一つ目の形態では、蔵書の複写制限が管理されていないため、蔵書が大量に複写され痛んだり、あるユーザが複写機を独占してしまう問題が発生するばかりか、図書館での利用目的以外で複写機が利用されてしまう問題がある。また、上述した二つ目の形態では、ユーザ側では利便性が悪くなり、スタッフ側では負荷が増えてしまう問題がある。
【０００４】
このような問題を解決する一つの発明として、本出願人はすでに特許文献１において、図書に印刷または装着した機械読み取り可能なマーキング（例えば、RFID）と、マーキングを読み取る読取装置と、複写機と、図書各々の複写の可否を判断するための複写情報を記録したデータベースと、マーキングおよび複写情報により複写の制限を指示するデータ処理装置と、データ処理装置により複写機において複写枚数を制限する複写制限装置とを備えた図書不正複写防止システムを提供し、一定の条件を超える複写を制限する発明を開示している。
【０００５】
【特許文献１】特開２００３−３０２８８０号公報
【発明の開示】
【発明が解決しようとする課題】
【０００６】
しかし、上述した特許文献１で開示されている図書不正複写防止システムにおいて、蔵書の複写を制限するために利用する複写条件は、蔵書ごとに定められ、ユーザごとに蔵書の複写制限を変えることはできなかった。
【０００７】
例えば、大学の図書館では、蔵書の貴重度や著作権のみならず、蔵書を複写するユーザによって、蔵書の複写制限を変更することが必要である。大学の図書館側では、大学の学生に対しては蔵書の複写枚数を制限したいが、一方、大学の関係者（図書館の事務員や、教授）に対しては、大量の複写を許可したい。
【０００８】
そこで、本発明は、図書館で蔵書を複写するときに、複写される蔵書のみならず、蔵書を複写するユーザごとに、蔵書の複写制限を変更することができる方法、システムおよび複写機を提供することを目的とする。
【課題を解決するための手段】
【０００９】
上述した課題を解決する第１の発明は、図書館に設置された複写機が、図書館の蔵書の複写を管理する方法であって、前記複写機を利用するユーザは、前記複写機で連続して前記蔵書を複写できる枚数を示すユーザ属性情報を記憶させた識別媒体を所持させ、更に、前記蔵書には、前記蔵書の複写許可を示す蔵書属性情報を記憶させたＲＦＩＤを貼着し、前記複写機は、ユーザが所持する識別媒体から前記ユーザ属性情報を読み出すと共に、前記蔵書に貼られたＲＦＩＤから前記蔵書属性情報を読出し、前記複写機は、前記蔵書属性情報で複写が許可されている場合、前記ユーザ属性情報で指定される枚数まで、前記蔵書の複写を許可することを特徴とする方法である。
【００１０】
更に、第２の発明は、図書館の蔵書の複写を管理するシステムであって、図書館に設置される複写機と、前記複写機で連続して前記蔵書を複写できる枚数を示すユーザ属性情報を記憶した識別媒体と、前記蔵書の複写許可を示す蔵書属性情報を記憶し、前記蔵書に貼着されたＲＦＩＤとから、少なくとも構成され、前記複写機は、前記識別媒体に記憶された前記ユーザ属性情報を読み出す第１のリーダと、前記ＲＦＩＤから前記蔵書属性情報を読み出す第２のリーダと、前記蔵書を複写する複写部と、前記蔵書属性情報で複写が許可されている場合、前記複写部を監視し、前記ユーザ属性情報で指定される枚数まで複写を許可する複写管理部とを備えていることを特徴とする。
【００１１】
図書館に設置される複写機であって、前記複写機で連続して前記蔵書を複写できる枚数を示すユーザ属性情報を記憶した識別媒体から、前記ユーザ属性情報を読み出す第１のリーダと、前記蔵書の複写許可を示す蔵書属性情報を記憶し、前記蔵書に張られるＲＦＩＤから、前記蔵書識別情報を読み出す第２のリーダと、前記蔵書を複写する複写部と、前記蔵書属性情報で複写が許可されている場合、前記複写部を監視し、前記ユーザ属性情報で指定される枚数まで、前記蔵書の複写を許可する複写管理部とを備えていることを特徴とする。
【発明の効果】
【００１２】
上述した本発明によれば、複写機に備えられた複写管理部が、ユーザ属性情報と蔵書属性情報とに基づいて複写を管理することで、図書館で蔵書を複写するときに、複写される蔵書のみならず、蔵書を複写するユーザごとに、蔵書の複写制限を変更することができる方法、システムおよび複写機を提供できる。
【発明を実施するための最良の形態】
【００１３】
ここから、図書館の蔵書の複写を管理する方法、システムおよび複写機について、図を参照しながら詳細に説明する。図１は、図書館の蔵書の複写を管理するシステムを説明する図である。
【００１４】
図１に図示したように、本発明に係わる複写管理システムは、図書館に設置される複写機１と、図書館の蔵書４に付加されたＲＦＩＤ３（Radio Frequency Identification）と、複写機１を利用するユーザ５が所持するＩＣカード２とから、少なくとも構成される。
【００１５】
蔵書４の複写管理に利用される情報として、蔵書４に付加されるＲＦＩＤ３には、蔵書４の属性を示す蔵書属性情報が記憶され、更に、ユーザ５が所持するＩＣカード２には、ユーザの属性を示すユーザ属性情報が記憶さる。
【００１６】
図２は、蔵書属性情報を説明する図である。蔵書属性情報とは、蔵書４の複写条件を示す情報で、蔵書４に蔵書属性情報を設定するときは、蔵書４の貴重度や著作権に応じて設定され、それぞれの蔵書属性情報に応じて、複写条件として複写許可／複写禁止が示される。
【００１７】
例えば、図２において、蔵書属性情報が「０１」であるＲＦＩＤが貼着された蔵書４は、複写が許可されている蔵書４で、蔵書属性情報が「００」であるＲＦＩＤが貼着された蔵書４は、複写が禁止されている蔵書４である。
【００１８】
図３は、ユーザ属性情報を説明する図である。ユーザ属性情報とは、ユーザ５ごとに設定される複写条件を示す情報で、ユーザ属性情報によって、複写機１で連続して蔵書４を複写できる枚数である複写制限枚数が規定される。
【００１９】
例えば、図３において、ユーザ属性情報が「００」であるＩＣカード２を所持しているユーザ５の複写制限枚数は５枚で、ユーザ属性情報が「０１」であるＩＣカード２を所持しているユーザ５の複写制限枚数は２０枚で、ユーザ属性情報が「０２」であるＩＣカード２を所持しているユーザの複写制限枚数は無制限である。
【００２０】
図４は、図１で図示した複写機１のブロック図である。複写機１は、上述した蔵書属性情報およびユーザ属性情報に基づいて、蔵書４の複写を管理するために、蔵書４に付加されたＲＦＩＤ３から蔵書属性情報を読取るためのＲＦＩＤリーダ１３と、ユーザ５が所持するＩＣカード２からユーザ属性情報を読取るためのＩＣカードリーダ１２を備えている。
【００２１】
複写機１に備えられたＲＦＩＤリーダ１３は電磁波を発信し、ＲＦＩＤリーダ１３の検出範囲内に存在するＲＦＩＤ３から、蔵書属性情報を読取る手段である。例えば、１３．５６ＭＨｚ帯を利用したパッシブ型のＲＦＩＤ３を用いれば、ＲＦＩＤリーダ１３とＲＦＩＤ３の最大通信距離は１~２ｍ程度とすることができ、更に、ＲＦＩＤリーダ１３の出力を調整すれば、複写機１に載せられた蔵書４のみの蔵書属性情報を読取ることが可能になる。
【００２２】
複写機１に備えられたＩＣカードリーダ１２は、装着されたＩＣカード２と電気的に結合し、ＩＣカード２からユーザ属性情報を読取る装置である。ＩＣカード２が接触型ＩＣカードであるならば、ＩＣカードリーダ１２は接触でＩＣカード２と電気的に結合し、所定のコマンドをＩＣカード２に伝送することで、ＩＣカード２からユーザ属性情報を読み取る。
【００２３】
更に、図４に図示しているように、複写機１は、上述した一般的な複写機１の機能を実現する複写部１１と、蔵書属性情報とユーザ属性情報に基づいて、蔵書４の複写を管理する複写管理部１０を備えている。
【００２４】
複写機１の複写管理部１０は、図２および図３で説明したような複写条件を記憶し、ユーザが複写機１を操作する前に、ＲＦＩＤリーダ１３およびＩＣカードリーダ１２に指示を出し、ＩＣカード２からユーザ属性情報を、ＲＦＩＤ３から蔵書属性情報をそれぞれ読取り、読取ったユーザ属性情報および蔵書属性情報に対応する複写条件に従い複写部１１の動作を管理する。
【００２５】
複写機１の複写管理部１０が複写部１１の動作を管理するとき、ＲＦＩＤ３から読取った蔵書属性情報を確認し、蔵書４の複写が許可されているか確認し、蔵書４の複写が許可されているときは、ユーザ属性情報の内容に従い複写枚数を管理する。
【００２６】
例えば、ユーザが複写する蔵書４の蔵書属性情報が「００」であった場合は、ユーザ識別情報に係わらず、複写部の動作を禁止する。また、ユーザ５が複写する蔵書４の蔵書属性情報が「０１」であった場合は、ユーザ属性情報の内容に従い複写枚数を管理する。
【００２７】
ＩＣカード２から読取ったユーザ属性情報が「０１」であった場合、複写機１の複写管理部１０は、複写部１１が複写した枚数を監視し、複写した枚数が２０枚に達したとき、それ以上の複写を許可しない。
【００２８】
図５は、複写機１の動作手順を示したフロー図で、このフロー図は、本発明に係わる方法の説明も兼ねている。
【００２９】
この手順の最初のステップＳ１は、複写機１の複写管理部１０が、ユーザ５が所持するＩＣカード２からユーザ属性情報を読み出すステップである。ユーザが所持するＩＣカード２が複写機１のＩＣカードリーダ１２に装着されると、ＩＣカードリーダ１２はＩＣカード２を活性化し、所定のコマンドをＩＣカード２に送信することで、ＩＣカード２からユーザ属性情報を読み出す。
【００３０】
次のステップＳ２は、複写機１の複写管理部１０が、ユーザ５が所持するＩＣカード２から読み出したユーザ属性情報を確認するステップである。ＩＣカード２から読み出したユーザ属性情報が所定の値以外、或いは、ユーザ５がＩＣカード２を所持していない場合は、正規のユーザ５と判断せずに、蔵書４の複写を許可せず、この手順は終了する。
【００３１】
次のステップＳ３は、複写機１の複写管理部１０が、蔵書４に付加されたＲＦＩＤ３から蔵書属性情報を読み出すステップである。複写機１は、ＲＦＩＤ３から所定のコマンドを送信することで、蔵書４に付加されたＲＦＩＤ３から蔵書属性情報を読み出す。
【００３２】
次のステップＳ４は、複写機１の複写管理部１０が、蔵書４から読み出した蔵書属性情報を確認するステップである。蔵書属性情報が所定の値以外、或いは、蔵書属性情報が複写禁止を示している場合は、蔵書４の複写を許可せず、この手順は終了する。
【００３３】
次のステップＳ５は、複写機１の複写管理部１０が複写部１１の作動を許可し、ユーザ５が蔵書４を複写するステップである。次のステップＳ６は、複写機１の複写管理部１０は、ステップＳ４で蔵書４の複写を許可してからの複写枚数を確認し、ステップＳ１でＩＣカード２から読取ったユーザ属性情報で定まる複写制限枚数を超えるまでは、ユーザ５に対して蔵書４の複写を許可し、複写枚数が複写制限枚数を超えたときは、それ以上の蔵書４の複写を許可せずに、この手順は終了する。
【図面の簡単な説明】
【００３４】
【図１】図書館の蔵書の複写を管理するシステムを説明する図。
【図２】蔵書属性情報を説明する図。
【図３】ユーザ属性情報を説明する図。
【図４】複写機のブロック図。
【図５】複写機の動作手順を示したフロー図。
【符号の説明】
【００３５】
１  複写機
１０  複写管理部
１１  複写部
１２  ＩＣカードリーダ
１３  ＲＦＩＤリーダ
２  ＩＣカード
３  ＲＦＩＤ
４  蔵書
５  ユーザ
【図１】
2008245200.tif 000003
【図２】
2008245200.tif 000004
【図３】
2008245200.tif 000005
【図４】
2008245200.tif 000006
【図５】
2008245200.tif 000007